(57)【特許請求の範囲】
【請求項１】
常時閉の一斉開放弁と、該一斉開放弁に接続され、かつ、感知ヘッドが設けられている感知用配管と、該一斉開放弁の二次側に接続され、かつ、放水ヘッドが設けられている放水用配管と、を備えた消火設備であって；前記放水ヘッドが、閉鎖型スプリンクラヘッドで構成され、前記一斉開放弁の一次側と二次側とがバイパス管を介して連通しており、前記バイパス管に流水検知手段と常時開の開閉弁とが設けられ、該流水検知手段が作動したときに前記開閉弁を閉じる制御手段が設けられていることを特徴とする消火設備。
【請求項２】
充水された放水用配管に取り付けられた閉鎖型スプリンクラヘッドの上流側に第１の流水検知手段が設けられ、該流水検知手段の一次側に常時開放されている開閉弁が設けられ、該開閉弁と前記第１の流水検知手段の間に、感知ヘッドが取り付けられた感知用配管が接続され、該感知用配管に第２の流水検知手段が設けられ、該第２の流水検知手段が動作した時には、前記開閉弁の開放を維持し、前記第１の流水検知手段のみが動作した時には、前記開閉弁を閉じる制御手段が設けられていることを特徴とする消火設備。
【発明の詳細な説明】
【０００１】
【発明の属する技術分野】
この発明は、放水ヘッドと感知ヘッドとを備えた消火設備に関するものである。
【０００２】
【従来の技術】
従来の消火設備は、常時閉の一斉開放弁と、該開放弁に接続され、かつ、感知ヘッドが取り付けられている感知用配管と、該開放弁の二次側に接続され、かつ、放水ヘッドが取り付けられている放水用配管と、を備えている。
【０００３】
この消火設備では、感知ヘッドが動作した時に一斉開放弁が開き、放水ヘッドから放水されるもので、この放水ヘッドに閉鎖型のスプリンクラヘッドを使用した場合には、感知ヘッドと放水ヘッドの両方が動作しない限り放水されないので、この設備ではヘッドの暴発による水損の発生を防止することができる。
【０００４】
【発明が解決しようとする課題】
従来例には、次の様な問題がある。
(1)放水用配管は空配管、即ちドライ配管なので、放水ヘッド等に外的衝撃力が加わったりして破損等が生じてもわからない。
(2)一斉開放弁が開放されても放水用配管が充水するまで時間がかかる。そのため、初期消火が困難となり、初期消火を補う以上の放水をするため、消火はするが水損が大きくなる。
【０００５】
この発明は、上記事情に鑑み、初期消火ができる様にするとともに、水損を軽減させ、放水ヘッド等の破損等がわかる様にすることを目的とする。
【０００６】
【課題を解決するための手段】
前記課題を解決する手段は、次の通りである。
【０００７】
この発明は、常時閉の一斉開放弁と、該一斉開放弁に接続され、かつ、感知ヘッドが設けられている感知用配管と、該一斉開放弁の二次側に接続され、かつ、放水ヘッドが設けられている放水用配管と、を備えた消火設備であって；前記放水ヘッドが、閉鎖型スプリンクラヘッドで構成され、前記一斉開放弁の一次側と二次側とがバイパス管を介して連通しており、前記バイパス管に流水検知手段と常時開の開閉弁とが設けられ、該流水検知手段が作動したときに前記開閉弁を閉じる制御手段が設けられていることを特徴とする。
【０００８】
この発明は、充水された放水用配管に取り付けられた閉鎖型スプリンクラヘッドの上流側に第１の流水検知手段が設けられ、該流水検知手段の一次側に常時開放されている開閉弁が設けられ、該開閉弁と前記第１の流水検知手段の間に、感知ヘッドが取り付けられた感知用配管が接続され、該感知用配管に第２の流水検知手段が設けられ、該第２の流水検知手段が動作した時には、前記開閉弁の開放を維持し、前記第１の流水検知手段のみが動作した時には、前記開閉弁を閉じる制御手段が設けられていることを特徴とする。
【０００９】
【発明の実施の形態】
本発明者は、放水用配管を常時充水されている湿式配管にするとともに、流水検知手段と該流水検知手段の流水検知信号が入力される制御盤と、を利用することにより、前記問題は解決できるものと考えて研究を重ねた結果、次の様にすれば良いことがわかった。
【００１０】
即ち、常時閉の一斉開放弁の二次側に閉鎖型放水ヘッドの付いた湿式放水用配管を接続し、該一斉開放弁の一次側と二次側とをバイパス管を介して連通し、該パイパス管に流水検知手段と、該流水検知手段の流水検知により閉弁する開閉弁とを設けるとともに、前記一斉開放弁に感知ヘッドの付いた感知用配管を接続する。
【００１１】
又、常時開の開閉弁の二次側に閉鎖型放水ヘッドの付いた放水用配管を接続し、該放水用配管の基端連結部に感知ヘッドの付いた感知用配管を設け、該感熱用配管の感知ヘッド上流側に第２流水検知手段を設け、前記放水用配管の基端連結部と放水ヘッドとの間に第１流水検知手段を設けるとともに、該第１及び第２流水検知手段の流水検知信号が入力される開閉弁制御盤を設ける。
【００１２】
【実施例】
この発明の第１実施例を図１により説明する。
常時閉の一斉開放弁１の一次側の給水管２には流水検知装置３と、ポンプ等の送水設備Ｐとが接続されている。
【００１３】
この開放弁１の二次側には、放水用配管４が接続されている。この放水用配管４にはヘッダ５が設けられているが、このヘッダ５の接続口５ａはフレキシブル樹脂管６を介して閉鎖型スプリンクラヘッド７、即ち、放水ヘッドが接続されている。この接続口５ａは全て上向きになっているので、水平方向又下向きの接続口に比べ、消火用水が出にくくなっている。そのため、事故により放水ヘッド７が開放されても流水は少ないので、水損は少なくてすむ。
前記ヘッド７は、例えば、７２℃で動作する様に設計されている。
【００１４】
一斉開放弁１の一次側と二次側はバイパス管１０を介して連通している。
このバイパス管１０には、第１流水検知手段、例えば、流水検知弁１１が設けられ、その上流側には常時開の開閉弁１２が配設されている。
【００１５】
一斉開放弁１には、感知ヘッド１４が付いた感知用配管１５が接続されている。この感知ヘッド１４は、放水ヘッドより低温で、例えば６５℃で動作する様に設計されている。前記流水検知装置３、流水検知弁１１、及び開閉弁１２は制御盤１８に接続されている。この制御盤１８は流水検知弁１１から流水検知信号が入力されているときは、開閉弁１２を閉じるように制御する。
【００１６】
次に、本実施例の作動について説明するが、火災の場合、放水ヘッドが破損した場合、感知ヘッド１４が破損した場合に分けて説明する。
【００１７】
火災の場合
感知ヘッド１４が火災を検知して開放されると、感知用配管１５内の消火用水が流出する。そうすると、一斉開放弁１が開放され流水検知装置３が動作し、ポンプ等の送水設備Ｐが起動される。
【００１８】
この状態で、放水ヘッド７が動作すると、放水用配管４内の消火用水が即座に流出する。これによりバイパス管１０に通水が生じて流水検知弁１１が動作し、その流水検知信号が制御盤１８に入力されると、該制御盤１８は開閉弁１２を閉止させる。この状態で、ポンプなどの送水設備Ｐから一斉開放弁１を介して消火用水が放水用配管４に供給され、放水ヘッド７から放水が継続して行われる。
【００１９】
放水ヘッドが破損した場合
放水ヘッド７が外的衝撃力等を受けて破損すると、放水ヘッド７が開放され、放水用配管４内の消火用水が流出する。
これにより給水管２からバイパス管１０を通じて放水用配管４に水が供給されるので、流水検知弁１１が動作し、その流水検知信号が制御盤１８に入力されると、該制御盤１８は、開閉弁１２を閉止させるので、パイパス管１０は閉じられる。
この時、該開放弁１は閉鎖されているので放水用配管４に消火用水は供給されない。これにより、即ち、流水検知弁１１からの信号があるのに流水検知装置３からの信号がないことにより、制御盤１８は放水ヘッド７が異常と判断する。
【００２０】
感知ヘッドが破損した場合
感知ヘッド１４が、外的衝撃力等を受けて破損し、該感知ヘッド１４が開放されると、感知用配管１５内の消火用水が流出する。感知用配管１５内の圧力が低下すると一斉開放弁１が開放され、流水検知装置３が動作する。
しかし、放水用配管４内は充水されており、また、放水ヘッド７は動作していないので、流水検知弁１１は作動しないため、制御盤１８には、流水検知弁１１からの流水検知信号は入力されない。これにより、制御盤１８は感知ヘッド１４が異常と判断する。なお、一斉開放弁１内にはオリフイスがあり、このオリフイスによって感知用配管１５に供給される水は制限されるので、感知ヘド１４からの水の流出は微少である。制御盤１８では放水ヘッド７又は感知ヘッド１４の異常を判断すると、図示しない表示装置に放水ヘッド７の損害、又は感知ヘッド１４の破損により水が流出していることを表示する。
また、火災受信機などに異常信号を移報するようにしても良い。これにより管理者は止水弁を閉じるなどの、対応策を速やかに行うことができる。
【００２１】
この発明の第２実施例を図２により説明する。
常時開の開閉弁２１の一次側の給水管２には、流水検知装置３とポンプ等の送水設備Ｐとが接続されている。
【００２２】
この開閉弁２１の二次側には、放水用配管２４が接続されている。この放水用配管２４にはヘッダ２５が設けられているが、このヘッダ５の接続口５ａはフレキシブル樹脂管６を介して閉鎖型スプリンクラヘッド、即ち、放水ヘッド７が接続されている。この接続口５ａは全て上向きになっているので、水平方向又下向きの接続口に比べ、消火用水が出にくくなっている。そのため、事故により放水ヘッド７が開放されても流水は少ないので、水損は少なくてすむ。
【００２３】
放水用配管２４の基端結合部３０には感知ヘッド１４が付いた感知用配管２５が接続されている。この感知ヘッド１４は、前記放水ヘッド７より低温で作動し、例えば、６５℃で作動するように設計されている。
【００２４】
感知ヘッド１４の上流側には、流水検知手段、例えば、第２流水検知弁３２、オリフィス３３、逆止弁３５が順次設けられている。
【００２５】
放水用配管２４の基端連結部３０とこの基端連結部３０に最も近いヘッダ５との間には、逆止弁３６と流水検知手段、例えば、第１流水検知弁４２が設けられている。
【００２６】
前記第１流水検知弁４２、第２流水検知弁３２及び流水検知装置３は開閉弁制御盤２８に接続されている。この開閉弁制御盤２８は第２流水検知弁３２から流水検知信号が入力されているときは、開閉弁２１の開状態を維持し、また、第１流水検知弁４２のみから流水検知信号が入力されているときは開閉弁２１を閉じるように制御する。
なお、いずれの流水信号も入力されないときには制御盤２８は特に何の制御も行わない。
【００２７】
次に、本実施例の作動について説明するが、火災の場合、放水ヘッドが破損した場合、感知ヘッド１４が破損した場合に分けて説明する。
【００２８】
火災の場合
感知ヘッド１４が火災を検知して開放されると、感知用配管２５内の消火用水が流出する。これにより、第２流水検知弁３２が動作すると共に、流水検知装置３も動作し、ポンプなどの送水設備Ｐが起動される。
【００２９】
この状態で放水ヘッド７が動作すると、放水用配管２４内の消火用水が即座に流出する。これにより第１流水検知弁４２が動作し、制御盤２８に流水検知信号を出力する。この時、開閉弁２１は開状態を維持するので、該放水ヘッド７から継続して消火用水が放出される。なお、感知用配管２５の基端側にはオリフイス３３が設けられているので、火災時には感知ヘッド１４からは消火用水はほとんど放水されない。
【００３０】
放水ヘッド７が破損した場合
放水ヘッド７が外的衝撃力等を受けて破損すると、放水ヘッド７が開放され放水用配管２４内の消火用水が流出する。
【００３１】
この時、第１流水検知弁４２が動作し制御盤２８に流水検知信号を出力するが、第２流水検知弁３２は動作しないので流水検知信号を出力しない。制御盤２８は開閉弁２１を閉止させるので、放水ヘッド７からの放水は停止され水損が防止される。第２流水検知弁３２からの流水検知信号が入力されないことにより、制御盤２８は放水ヘッド７の異常と判断する。
【００３２】
この時、破損した感知ヘッド１４からの流水量はオリフィスにより制限されるので水損が防止される。
【００３３】
感知ヘッド１４が破損した場合
感知ヘッド１４が外的衝撃力等を受けて破損すると、該感知ヘッド１４が開放され、感知用配管２５内の消火用水が流出する。
【００３４】
これにより第２流水検知弁３２が動作し制御盤２８に流水検知信号を送出するとともに、感知用配管２５内の圧力低下に伴い、開閉弁２１から給水されるので、流水検知装置３が動作し流水検知信号を制御盤２８に送出する。
一方、第１流水検知弁４２からの流水検知信号が入力されないことにより、制御盤２８は感知ヘッド１４の異常と判断する。
制御盤２８では放水ヘッド７又は感知ヘッド１４の異常を判断すると、図示しない表示装置に放水ヘッド７の破損又は感知ヘッド１４の破損により水が流出していることを表示する。
また、火災受信機などの異常信号を移報するようにしても良い。これにより、管理者は止水弁を閉じるなどの、対応策を速やかに行うことができる。
【００３５】
【発明の効果】
この発明は以上の様に構成したので、放水用配管内は常時充水されている。
その為、放水ヘッドの開放と同時に放水が可能なので、初期消火が可能となる。又、制御盤に入力される流水検知信号により放水ヘッドや感知ヘッドの破損を判断することができる。
更に、火災時以外の放水を軽減させるため、水損が少ない。
【図面の簡単な説明】
【図１】本発明の第１実施例を示す図である。
【図２】本発明の第２実施例を示す図である。
【符号の説明】
１        一斉開放弁
３        流水検知装置
４        放水用配管
７        放水ヘッド
１０        バイパス管
１１        流水検知弁
１２        開閉弁
１４        感知ヘッド
１５        感知用配管
【図１】
0004066006.tif 000002
【図２】
0004066006.tif 000003